(57)【要約】【課題】乗馬スタイルの受動運動器において、被検者自身が特別の拘束具を用いることなく、下半身を固定状態とすることを可能にする。【解決手段】被検者７が着座する鞍部６は、尻載せ部61、膝71を支える膝載せ部62、及び足先を支える足載せ部64を設けている。尻載せ部61に尻70を載せ、膝載せ部62に深く曲げた膝71を載せ、足載せ部64に足先を載せることで、膝の動きが拘束され、即ち被検者７の下半身が固定状態となる。鞍部６の揺動に耐えるべく被験者がバランスをとることで、バランス感覚と筋肉が鍛えられる。被検者７の下半身は固定状態であるから、被験者のウェスト回りの筋肉の運動量が増加して、一層効果的に当該筋肉を鍛えることができる。【選択図】図１
2010042076.tif 000002
【特許請求の範囲】
【請求項１】
ベース(１)上に揺動可能に配備した鞍部(６)に被検者が着座して、鞍部(６)の揺動による受動運動ができる受動運動器において、
鞍部(６)は、尻を載せる尻載せ部(61)と、尻載せ部(61)の前側にて左右両側に位置し曲げた膝を支える膝載せ部(62)(62)と、両膝載せ部(62)(62)の夫々後方に位置し足先を支える足載せ部(64)(64)とを具えている、受動運動器。
【請求項２】
鞍部(６)は、両膝載せ部(62)(62)間に、両膝で挟むことのできる膝挟み部(63)を具えている、請求項１に記載の受動運動器。
【請求項３】
ベース(１)上に揺動可能に配備した鞍部(６)に被検者が着座して、鞍部(６)の揺動による受動運動ができる受動運動器において、
鞍部(６)は、尻を載せる尻載せ部(61)と、尻載せ部(61)の前側にて左右両側に位置し曲げた膝を支える膝載せ部(62)(62)と、両膝載せ部(62)(62)間に位置し両膝で挟むことのできる膝挟み部(63)を具えている、受動運動器。
【請求項４】
足載せ部(64)は、上向きに移動可能である、請求項１又は２に記載の受動運動器。
【請求項５】
足載せ部(64)は、横向き姿勢から上向きに回転して折り畳み可能、且つ、下方から力が加われば起立可能に取り付けられている、請求項４に記載の受動運動器。
【請求項６】
膝載せ部(62)は、被検者の膝から足先まで載せることが可能な大きさに形成されている、請求項１乃至３の何れかに記載の受動運動器。
【請求項７】
尻載せ部(61)は、左右両側から中央部へ徐々に低くなった凹状に形成されている、請求項１乃至６の何れかに記載の受動運動器。
【請求項８】
ベース(１)上に昇降可能に配備された補助ベース(13)上に、鞍部(６)及び該鞍部の揺動駆動部(２)が配備され、補助ベース(13)の高さの切替えによって、鞍部(６)の高さ位置を、高位置と低位置に切換えが可能な、請求項１乃至７の何れかに記載の受動運動器。
【請求項９】
ベース(１)上に昇降可能に配備された補助ベース(13)上に、鞍部(６)及び該鞍部の揺動駆動部(２)が配備され、補助ベース(13)の高さを調整することによって、鞍部(６)の高さ位置を調整してなる、請求項１乃至７の何れかに記載の受動運動器。
【請求項１０】
尻載せ部(61)は後部が高く傾斜しており、補助ベース(13)は前部にある支点(12)を中心に、ベース(１)に対して垂直面内で回動して昇降可能である、請求項８又は９に記載の受動運動器。
【発明の詳細な説明】
【技術分野】
【０００１】
本発明は、揺動する鞍部に着座した状態で運動を行う、乗馬スタイルの受動運動器に関する。
【背景技術】
【０００２】
この種受動運動器は、揺動する鞍部から落下しない様にバランスを取ることで、バランス感覚や筋肉が鍛えられる。
バランスを取り易くし、踏ん張りの利く様に、鞍部に鐙(アブミ)を設けたものも提案されている(例えば、特許文献１)。
【特許文献１】特開２００８−６８１２３号公報
【発明の開示】
【発明が解決しようとする課題】
【０００３】
鐙を具えた受動運動器は、膝を浅く曲げた状態で使用することになり、鞍部の高さを低くすることに大きな制約を受ける。鞍部の高さが高いと、落下した場合の危険度が高くなる。
被験者の下半身を鞍部に固定すれば、鞍部からの落下を防止できる。又、下半身を鞍部に固定状態にして上半身を揺動させると、腹斜筋等のウェスト回りの運動量を増加させることができる。
しかし、鐙に足先を載せただけでは、被験者の下半身を固定した程の効果は望めない。
又、内腿の筋肉は、両膝を互いに押し合う様な運動で効果的に鍛えることができるが、被験者の脚を鐙で支えるだけでは、その効果は薄い。
下半身を固定するための特別の拘束具を鞍部に設けた場合、拘束具で下半身を拘束するのに手間が掛かって面倒であり、拘束具を使用しないまま、使用しがちである。
本発明は、上記問題を解決できる、受動運動器を明らかにするものである。
【課題を解決するための手段】
【０００４】
請求項１は、ベース(１)上に揺動可能に配備した鞍部(６)に被検者が着座して、鞍部(６)の揺動による受動運動ができる受動運動器において、
鞍部(６)は、尻を載せる尻載せ部(61)と、尻載せ部(61)の前側にて左右両側に位置し曲げた膝を支える膝載せ部(62)(62)と、両膝載せ部(62)(62)の夫々後方に位置し足先を支える足載せ部(64)(64)とを具えている。
【０００５】
請求項２は、請求項１の受動運動器において、鞍部(６)は、両膝載せ部(62)(62)間に、両膝で挟むことのできる膝挟み部(63)を具えている。
【０００６】
請求項３は、ベース(１)上に揺動可能に配備した鞍部(６)に被検者が着座して、鞍部(６)の揺動による受動運動ができる受動運動器において、
鞍部(６)は、尻を載せる尻載せ部(61)と、尻載せ部(61)の前側にて左右両側に位置し曲げた膝を支える膝載せ部(62)(62)と、両膝載せ部(62)(62)間に位置し両膝で挟むことのできる膝挟み部(63)を具えている。
【０００７】
請求項４は、請求項１又は２に記載の受動運動器において、足載せ部(64)は、上向きに移動可能である。
【０００８】
請求項５は、請求項４の受動運動器において、足載せ部(64)は、横向き姿勢から上向きに回転して折り畳み可能、且つ、下方から力が加われば起立可能に取り付けられている。
【０００９】
請求項６は、請求項１乃至３の何れかに記載の受動運動器において、膝載せ部(62)は、被検者の膝から足先まで載せることが可能な大きさに形成されている。
【００１０】
請求項７は、請求項１乃至６の何れかに記載の受動運動器において、尻載せ部(61)は、左右両側から中央部へ徐々に低くなった湾曲凹状に形成されている。
【００１１】
請求項８は、請求項１乃至７の何れかに記載の受動運動器において、ベース(１)上に昇降可能に配備された補助ベース(13)上に、鞍部(６)及び該鞍部の揺動駆動部(２)が配備され、補助ベース(13)の高さの切替えによって、鞍部(６)の高さ位置を、高位置と低位置に切換えが可能である。
【００１２】
請求項９は、請求項１乃至７の何れかに記載の受動運動器において、ベース(１)上に昇降可能に配備された補助ベース(13)上に、鞍部(６)及び該鞍部の揺動駆動部(２)が配備され、補助ベース(13)の高さを調整することによって、鞍部(６)の高さ位置を調整してなる。
【００１３】
請求項１０は、請求項８又は９に記載の受動運動器において、尻載せ部(61)は後部が高く傾斜しており、補助ベース(13)は前部にある支点(12)を中心に、ベース(１)に対して垂直面内で回動して昇降可能である。
【発明の効果】
【００１４】
請求項１の受動運動器は、被検者(７)が尻載せ部(61)に尻(70)を載せ、膝載せ部(62)に深く曲げた膝(71)を膝載せ部(62)に載せて鞍部(６)に着座することで、膝(71)の動きが拘束されて、即ち被検者(７)の下半身が固定状態となる。特別の拘束具で下半身を拘束する手間を省くことができる。
揺動駆動部(２)の動作で鞍部(６)が揺動し、この揺動に耐えるべく被験者がバランスをとることで、バランス感覚と筋肉が鍛えられる。前記の如く、被検者(７)の下半身は動きが拘束されて固定状態であるから、被験者のウェスト回りの筋肉の運動量が増加して、一層効果的に当該筋肉を鍛えることができる。
被検者(７)の足先(72)を足載せ部(64)に載せて位置決めできるので、膝(71)が膝載せ部(62)上で後方へずれることを防止でき、被検者(７)の下半身の固定が一層強固となる。
鞍部(６)から降りる際も、特別の拘束具から下半身を開放する手間を省くことができる。
【００１５】
請求項２の受動運動器は、請求項１の効果を奏する。更に、左右の膝載せ部(62)(62)に載せた両膝(71)(71)で、膝挟み部(63)を挟みつける様にして、受動運動を行うことができるから、被検者(７)の下半身の安定度が増し、落下の危険が減少する。
しかも、被検者(７)の大腿部の内側の筋肉の運動量が増加するので、日常生活では使うことの少ない当該筋肉の鍛錬に極めて適している。
【００１６】
請求項３の受動運動器は、請求項１と同様にして、被検者(７)は下半身を固定状態で受動運動を行うから、被検者(７)のウェスト回りの筋肉の運動量が増加して、効果的に当該筋肉を鍛えることができる。
又、請求項２と同様にして、左右の膝載せ部(62)(62)に載せた両膝で、膝挟み部(63)を挟みつける様にすれば、被検者(７)の下半身の安定度が増し、落下の危険が減少する。しかも、被検者(７)の大腿部の内側の筋肉の運動量が増加するので、日常生活では使うことの少ない当該筋肉の鍛錬に適している。
【００１７】
請求項４の受動運動器は、床面又はベース(１)と足載せ部(64)との間に障害となる異物が入り込んで足載せ部(64)に当たっても、足載せ部(64)が異物に押されて上方に移動するから、足載せ部(64)或いは異物の破損を防止できる。
【００１８】
請求項５の受動運動器は、請求項４と同様の効果を有する。更に、足載せ部(64)は下方の異物に押され、回転して上向きに回転して異物を避けるから、異物の高さを問わない。
【００１９】
請求項６の受動運動器は、膝載せ部(62)とは別個の足載せ部(64)を設ける必要がないので、受動運動器の外観をスッキリ仕上げることができる。
【００２０】
請求項７の受動運動器の尻載せ部(61)は、左右両側から中央部へ徐々に低くなった湾曲凹状に形成されているから、尻載せ部(61)が左右に傾いたとき、被検者(７)の尻(70)が傾き方向に移動することが防止され、尻(70)の位置が安定し、このため、尻載せ部(61)との摩擦によって尻が左右に引っ張られる違和感、不快感を感じずに受動運動を行うことができる。
【００２１】
請求項８の受動運動器は、補助ベース(13)の高さの切替えによって、尻載せ部(61)の運動使用高さ位置と乗降高さ位置の切替えが可能であるから、尻載せ部(61)を低くして楽に乗降できる。使用時は、尻載せ部(61)の揺動に支障のない様に、尻載せ部(61)の高さ位置を高くできる。
【００２２】
請求項９の受動運動器は、補助ベース(13)を前部にある支点(12)を中心に下向きに回転させて、下降させることにより、鞍部(６)は尻載せ部(61)全体が後傾する様に下がるから、尻載せ部(61)の後部が高く傾斜していても、楽に乗降ができる。
【発明を実施するための最良の形態】
【００２３】
図１乃至図３は、被検者(７)が受動運動器に乗って受動運動を行っている状態を示している。
受動運動器は、ベース(１)上に揺動駆動部(２)を介して鞍部(６)を設けており、揺動駆動部(２)により、鞍部(６)は、前後動、左右傾動、上下動の複合的な揺動を行う。
以下の説明で、「前」とは、鞍部(６)に正しく乗った被検者(７)が正面を向く方向である。又、「左」とは鞍部(６)に正しく乗った被検者(７)からみて左手の方向である。
【００２４】
揺動駆動部(２)は図４に示す如く、駆動部フレーム(21)上の前後に長い平行側壁(22)(22)の前部と後部に、第１、第２の２本の駆動軸(３)(４)を互いに横無端状且つ平行に、ベアリング(26)(26)を介して回転可能に支持し、電動機(23)の回転出力軸(24)を、ウォームギア、平歯車等からなるギヤー列(25)を介して、両駆動軸(３)(４)に連繋している。
前側の第１駆動軸(３)は、前記平行側壁(22)(22)間にて偏芯回転円盤(31)を一体回転可能に具えている。
側壁(22)(22)間は、後部が前部より幅広となっている。
【００２５】
図５、図８に示す如く、偏芯回転円盤(31)には第１駆動軸(３)と直交する面内で、該偏芯回転円盤(31)の回転とは無関係に回転自由にホルダー(32)が被さっている。
基端が二股のリンク(33)の二股部(33a)が上記ホルダー(32)を挟み込み、ホルダー(32)を貫通したロッド(34)の両端が該二股部(33a)を枢支している。リンク(33)は、該ロッド(34)を中心に先端を左右に揺動可能にホルダー(32)に支持されている。
ロッド(34)の先端には、後記する揺動台(５)に枢支連結するための球面継手(35)が突設されている。
【００２６】
駆動部フレーム(21)上の後側の第２駆動軸(４)には、側壁(22)(22)間にて左右両側に偏芯揺動回転体(41)(41)が第２駆動軸(４)と一体回転可能に取り付けられている。
偏芯揺動回転体(41)(41)は、第２駆動軸(４)に対して点対称に傾いており、偏芯揺動回転体(41)(41)の外周は円形である。
２つの偏芯揺動回転体(41)(41)は、第２駆動軸(４)の回転によって、偏芯回転しつつ左右に振れる。
両偏芯揺動回転体(41)(41)に跨って揺動台(５)が取り付けられる。
【００２７】
図６、図７に示す如く、揺動台(５)は、前記鞍部(６)を取り付けるための前後に長い取付板(51)の後部両側に、下向きに平行な脚板(52)(52)を突設して形成されている。
両脚板(52)(52)には、丸孔(53)(53)が開設され、該丸孔(53)(53)にベアリング(42)(42)を介して前記偏芯揺動回転体(41)(41)が嵌まり込んでいる。
揺動台(５)の取付板(51)の前部に、ブラケット(54)を介して前記リンク(33)上の球面継手(35)が枢支連結される。
【００２８】
前記電動機(23)によって、第１駆動軸(３)及び第２駆動軸(４)が回転すると、揺動台(５)は、前後動、左右傾動、上下動が複合した揺動を行う。
揺動駆動部(２)の下部の周囲はカバー(20)で覆われている。
【００２９】
図１乃至図３に示す如く、鞍部(６)は、下面が前後に長く開口した筺状のケーシング(60)の上端後部に尻載せ部(61)、尻載せ部(61)の前方両側にて尻載せ部(61)より低い位置に膝載せ部(62)(62)、両膝載せ部(62)(62)の間に、前記尻載せ部(61)に連続し膝載せ部(62)より高く膝挟み部(63)、膝載せ部(62)の後方に足載せ部(64)を具えている。
【００３０】
前記揺動駆動部(２)の上部がケーシング(60)の下端開口から内側に入り込んでおり、図３に示す如く、揺動駆動部(２)のカバー(20)の外側にて、ケーシング(60)の下面開口は、フレキシブルシート(69)によって鞍部(６)の揺動に支障のない様に塞がれている。
【００３１】
尻載せ部(61)は後方へ高く傾斜しており、且つ、図１０ａに示す如く、左右両側から中央部へ徐々に湾曲して低くなった湾曲凹状に形成されている。
【００３２】
膝挟み部(63)は尻載せ部(61)に連続しており、前端へ徐々に幅狭に、且つ前端側へ徐々に高く傾斜している。
前記尻載せ部(61)の後端から膝挟み部(63)の前端までの上面は、鈍角の略Ｖ字状を呈している。
膝挟み部(63)の前部に、被検者(７)が掴むことのできる持ち手(８)が設けられている。該持ち手(８)は、両端を膝挟み部(63)に止めたフレキシブルなベルト(81)である。
【００３３】
ケーシング(60)の下端開口部の外周部にフランジ部(68)が突設され、該フランジ部(68)の左右両側の上面に膝載せ部(62)(62)が設けられている。
膝載せ部(62)は被検者(７)の膝(71)から脛(73)までを載せることができる様に前後に長く形成され、上面は略フラットである。
膝載せ部(62)の上面高さは、被検者(７)が尻載せ部(61)に尻(70)を載せた状態で、深く曲げた膝(71)と脛(73)を載せることができる高さである。又、その状態で両膝(71)(71)で膝挟み部(63)を挟みつけることが可能である。
【００３４】
尚、尻載せ部(61)及び膝載せ部(62)は、被検者(７)の尻(70)、膝(71)、脛(73)を保護するためのクッション層を表面側に有している。
【００３５】
足載せ部(64)は、被検者(７)が膝載せ部(62)に膝(71)と脛(73)を載せている状態で足先(72)を支えるものである。実施例の場合、図２に示す如く、足載せ部(64)は足裏を支える。
図９に示す如く、足載せ部(64)は円筒体に形成され、回動可能な取付け台(66)の自由端に突設されて、横向き姿勢から上向きに回動可能である。
取付け台(66)は、ケーシング(60)内に基端を枢支して下向きから横向きに回動可能に配備されており、ケーシング(60)のフランジ部(68)に開設した開口(67)から自由端を出没可能である。
取付け台(66)が下向きの状態で足載せ部(64)は、符号(64a)に示す如く、真横を向き、取付け台(66)が回転上昇して横向きになった状態で、符号(64b)に示す如く、足載せ部(64)は上を向く様に回転移動する。
ケーシング(60)内には、取付け台(66)が下向き姿勢から内側に回転することを防止するストッパ(69)が設けられている。
【００３６】
然して、被検者(７)が鞍部(６)の尻載せ部(61)に尻(70)を載せ、深く曲げた膝(71)を膝載せ部(62)に載せ、足裏を足載せ部(64)に当てて、鞍部(６)に着座することで、被検者(７)の下半身が固定状態となる。
鞍部(６)が揺動し、この揺動に耐えるべく被験者がバランスをとることで受動運動ができ、バランス感覚と筋肉が鍛えられる。前記の如く、被検者(７)の下半身は固定状態であるから、被験者のウェスト回りの筋肉の運動量が増加して、一層効果的に当該筋肉を鍛えることができる。
【００３７】
更に、左右の膝(71)(71)で、膝挟み部(63)を挟みつける様にして、受動運動を行うことができるから、被検者(７)の下半身の安定度が増し、落下の危険が減少する。
しかも、被検者(７)の大腿部の内側の筋肉の運動量が増加するので、日常生活では使うことの少ない当該筋肉の鍛錬に極めて適している。
【００３８】
床面又はベース(１)と足載せ部(64)との間に、障害となる異物が入り込んでも、異物に当たった足載せ部(64)は異物に押されて起立するから、異物や足載せ部(64)の破損することを防止できる。
被検者(７)の足先(72)が足載せ部(64)の下位置にあったとしても、床面と足載せ部(64)で足先(72)を強く挟みつけて負傷させることもない。
【００３９】
図１０ａに示す如く、尻載せ部(61)は、左右両側から中央部へ徐々に低くなった湾曲凹状に形成されているから、図１０ｂ、図１０ｃに示す如く、尻載せ部(61)が左右に斜め下側に傾いたとき、被検者(７)の尻(70)が傾き方向に移動することが防止され、尻(70)の位置が安定し、このため、尻載せ部(61)との摩擦によって尻が左右に引っ張られる(肛門が開かれる)様な違和感、不快感を感じずに受動運動を行うことができる。
【００４０】
上記説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００４１】
例えば、膝載せ部(62)を足載せ部(64)の位置まで長く延長して、足の甲を載せることを可能にすれば、膝載せ部(62)とは別個の足載せ部(64)を設ける必要がないので、受動運動器の外観をスッキリ仕上げることができる。
【００４２】
足載せ部(64)を上方へスライド移動可能に配備し、自重で定位置に復帰する様に構成できる。異物が足載せ部と床面との間に挟み込まれても、異物が足載せ部をスライドして押し上げるので、異物や足載せ部の破損を防止できる。
【００４３】
上記した受動運動器は、被検者(７)の鞍部(６)への着座状態は、被検者が膝(71)を深く曲げて膝載せ部(62)に載せているから、従来の鐙を具えた受動運動器への着座状態、即ち、被検者の膝がそれ程曲がらずに下に伸びている状態に較べて、鞍部(６)の位置を低くできる。しかし、鞍部(６)が揺動してもベース(１)や床面に干渉しない様にするには、鞍部(６)の高さを低くすることに限度があり、運動使用時の鞍部(６)の高さでは、被験者の身長によっては乗降し難い。
【００４４】
図１１、図１２は、上記問題を解決できる受動運動器を示している。
鞍部(６)の高さを、図１１の運動使用時と、図１２の乗降時で切替えできることが特徴である。
ベース(１)の前部に支え台(11)を立設し、該支え台(11)の上端に補助ベース(13)の先端を枢支(12)して自由端を後方に向け、ベース(１)と補助ベース(13)の自由端をアクチュエータ(14)で連繋する。
補助ベース(13)上に前記揺動駆動部(２)と鞍部(６)を搭載する。
【００４５】
上記受動運動器は、アクチュエータ(14)の伸縮によって、補助ベース(13)は支点(12)を中心に図１１に示す運動使用時の高位置と、図１２の乗降時の低位置に切替えできる。
実施例の様に、補助ベース(13)を前部にある支点(12)を中心に下向きに回転させて下降させることにより、鞍部(６)全体は後傾する様に下がるから、鞍部(６)の後部に位置する尻載せ部(61)の後部が高く傾斜していても、尻載せ部(61)の後端は低く下がるから、楽に乗降を行うことができる。
【００４６】
尚、アクチュエータ(14)を運動使用中に伸縮させれば、鞍部(６)の動きを上下、左右、前後の揺動運動に支点(12)としたシーソ運動を加えた運動にすることもできる。
【００４７】
又、鞍部(６)をベース(１)に対してスライドして昇降可能とし、鞍部(６)の高さを運動使用時の高位置と、乗降時の低位置に切替えすることも可能である。
【図面の簡単な説明】
【００４８】
【図１】受動運動器の斜視図である。
【図２】受動運動器の側面図である。
【図３】受動運動器の正面図である。
【図４】揺動駆動部の斜視図である。
【図５】揺動駆動部のメカニズムの斜視図である。
【図６】揺動台の側面図である。
【図７】揺動台の取付け状態を示す断面図である。
【図８】リンクの取付け状態の断面図である。
【図９】足載せ部の取付け状態の説明図である。
【図１０】ａ図は尻載せ部が水平状態の尻の位置を示し、ｂ図は尻載せ部が右に傾いた状態の尻の位置を示し、ｃ図は尻載せ部が左に傾いた状態の尻の位置を示している。
【図１１】鞍部の高さが切替えできる受動運動器の、鞍部を高くした概略説明図である。
【図１２】同上の受動運動器の、鞍部を低くした概略説明図である。
【符号の説明】
【００４９】
１  ベース
２  揺動駆動部
５  揺動台
６  鞍部
61  尻載せ部
62  膝載せ部
63  膝挟み部
64  足載せ部
【図１】
2010042076.tif 000003
【図２】
2010042076.tif 000004
【図３】
2010042076.tif 000005
【図４】
2010042076.tif 000006
【図５】
2010042076.tif 000007
【図６】
2010042076.tif 000008
【図７】
2010042076.tif 000009
【図８】
2010042076.tif 000010
【図９】
2010042076.tif 000011
【図１０】
2010042076.tif 000012
【図１１】
2010042076.tif 000013
【図１２】
2010042076.tif 000014